【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
印刷対象の印刷データを含む第１の印刷ジョブ、または、印刷対象の印刷データを特定するための特定情報を含み前記特定情報に基づき印刷装置に印刷データを特定させて該印刷データを取得させるための第２の印刷ジョブを外部装置から入力する入力手段と、
前記入力手段により入力された前記第１の印刷ジョブに含まれる印刷データまたは前記第２の印刷ジョブに含まれる前記特定情報を記憶する記憶手段と、
前記記憶手段に記憶されている印刷データ、または、前記記憶手段に記憶されている特定情報に基づき取得した印刷データに基づき画像を印刷する印刷手段と、
前記入力手段により入力される印刷ジョブのうち前記第１の印刷ジョブの画像を前記第２の印刷ジョブの画像より優先して印刷するように前記印刷手段を制御する制御手段と
を備えることを特徴とする印刷装置。
【請求項２】
前記入力手段は、デジタル放送を受信するデジタルテレビジョンから印刷ジョブを入力することを特徴とする請求項１に記載の印刷装置。
【請求項３】
前記入力手段が入力する第２の印刷ジョブに含まれる前記特定情報は、インターネットを介して前記印刷装置に接続されるサーバを示す情報を含み、前記印刷手段は、当該情報が示すサーバから取得した印刷データに基づき画像を印刷することを特徴とする請求項１または２に記載の印刷装置。
【請求項４】
前記制御手段は、前記記憶手段の空き容量が所定量より少なくなった場合に、前記第１の印刷ジョブの画像を前記第２の印刷ジョブの画像より優先して印刷するように前記印刷手段を制御することを特徴とする請求項１乃至３のいずれか１項に記載の印刷装置。
【請求項５】
前記記憶手段の空き容量に応じて、前記入力手段により入力された前記第１の印刷ジョブに含まれる印刷データが前記記憶手段に記憶可能かを判断する判断手段をさらに有し、
前記制御手段は、前記判断手段により印刷データが前記記憶手段に記憶できないと判断された場合に、前記第１の印刷ジョブの画像を前記第２の印刷ジョブの画像より優先して印刷するように前記印刷手段を制御することを特徴とする請求項４に記載の印刷装置。
【請求項６】
前記判断手段により、前記第１の印刷ジョブに含まれる印刷データが前記記憶手段に記憶できないと判断された場合に、前記入力手段は前記第１の印刷ジョブの入力を拒否することを特徴とする請求項５に記載の印刷装置。
【請求項７】
前記入力手段は、前記第１の印刷ジョブの入力が拒否されている場合であっても、前記第２の印刷ジョブを受け付けることを特徴とする請求項６に記載の印刷装置。
【請求項８】
前記入力手段は、前記第１の印刷ジョブの入力が拒否されている場合には、前記第２の印刷ジョブの受け付けも拒否することを特徴とする請求項６に記載の印刷装置。
【請求項９】
前記入力手段が入力する前記第２の印刷ジョブは、印刷データの更新情報を有し、
前記記憶手段は、前記更新情報を前記特定情報に加えて記憶し、
前記制御手段は、前記印刷装置が前記第２の印刷ジョブに基づく印刷を行う際にアクセスした印刷データの第１の更新情報が前記記憶手段に記憶されている第２の更新情報と一致する場合に該印刷ジョブの画像の印刷を行うように前記印刷手段を制御することを特徴とする請求項１乃至８のいずれか１項に記載の印刷装置。
【請求項１０】
前記印刷装置が前記第２の印刷ジョブに基づく印刷を行う際にアクセスした印刷データの第１の更新情報が前記記憶手段に記憶されている第２の更新情報と一致しない場合に、前記第１の更新情報と前記第２の更新情報とが一致しないことをユーザに通知する通知手段をさらに有することを特徴とする請求項９に記載の印刷装置。
【請求項１１】
入力手段が、印刷対象の印刷データを含む第１の印刷ジョブ、または、印刷対象の印刷データを特定するための特定情報を含み前記特定情報に基づき印刷装置に印刷データを特定させて該印刷データを取得させるための第２の印刷ジョブを外部装置から入力する入力工程と、
記憶手段が、前記入力工程において入力された前記第１の印刷ジョブに含まれる印刷データまたは前記第２の印刷ジョブに含まれる前記特定情報を記憶する記憶工程と、
印刷手段が、前記記憶工程において記憶されている印刷データ、または、前記記憶工程において記憶されている特定情報に基づき取得した印刷データに基づき画像を印刷する印刷工程と、
制御手段が、前記入力工程において入力される印刷ジョブのうち前記第１の印刷ジョブの画像を前記第２の印刷ジョブの画像より優先して印刷するように前記印刷工程を制御する制御工程と
を有することを特徴とする印刷装置の制御方法。
【請求項１２】
請求項１１に記載の印刷装置の制御方法の各工程をコンピュータに実行させるプログラム。
【手続補正２】
【補正対象書類名】明細書
【補正対象項目名】発明の名称
【補正方法】変更
【補正の内容】
【発明の名称】印刷装置、印刷装置の制御方法、およびプログラム
【手続補正３】
【補正対象書類名】明細書
【補正対象項目名】００１５
【補正方法】変更
【補正の内容】
【００１５】
そこで、本発明は、印刷装置の記憶手段が印刷ジョブのデータを記憶することができずに、印刷ジョブを受け付けることができないという状況を低減させることができる印刷装置、印刷装置の制御方法、およびプログラムを提供することを目的とする。
【手続補正４】
【補正対象書類名】明細書
【補正対象項目名】００１６
【補正方法】変更
【補正の内容】
【００１６】
上記課題を解決するための本発明は、印刷対象の印刷データを含む第１の印刷ジョブ、または、印刷対象の印刷データを特定するための特定情報を含み前記特定情報に基づき印刷装置に印刷データを特定させて該印刷データを取得させるための第２の印刷ジョブを外部装置から入力する入力手段と、
前記入力手段により入力された前記第１の印刷ジョブに含まれる印刷データまたは前記第２の印刷ジョブに含まれる前記特定情報を記憶する記憶手段と、
前記記憶手段に記憶されている印刷データ、または、前記記憶手段に記憶されている特定情報に基づき取得した印刷データに基づき画像を印刷する印刷手段と、
前記入力手段により入力される印刷ジョブのうち前記第１の印刷ジョブの画像を前記第２の印刷ジョブの画像より優先して印刷するように前記印刷手段を制御する制御手段と
を備えることを特徴とする。
【手続補正５】
【補正対象書類名】明細書
【補正対象項目名】００１７
【補正方法】変更
【補正の内容】
【００１７】
また、上記課題を解決するための別の本発明は、
入力手段が、印刷対象の印刷データを含む第１の印刷ジョブ、または、印刷対象の印刷データを特定するための特定情報を含み前記特定情報に基づき印刷装置に印刷データを特定させて該印刷データを取得させるための第２の印刷ジョブを外部装置から入力する入力工程と、
記憶手段が、前記入力工程において入力された前記第１の印刷ジョブに含まれる印刷データまたは前記第２の印刷ジョブに含まれる前記特定情報を記憶する記憶工程と、
印刷手段が、前記記憶工程において記憶されている印刷データ、または、前記記憶工程において記憶されている特定情報に基づき取得した印刷データに基づき画像を印刷する印刷工程と、
制御手段が、前記入力工程において入力される印刷ジョブのうち前記第１の印刷ジョブの画像を前記第２の印刷ジョブの画像より優先して印刷するように前記印刷工程を制御する制御工程と
を有することを特徴とする。
【手続補正６】
【補正対象書類名】明細書
【補正対象項目名】００１８
【補正方法】変更
【補正の内容】
【００１８】
本発明によれば、印刷装置の記憶手段が印刷ジョブのデータを記憶することができずに、印刷ジョブを受け付けることができないという状況を低減させることができる。